(57)【要約】【課題】携帯型通信機を用いて、きわめて簡単な操作で心電計で測定した心電データを判定することによって、異常時には自動的に特定の通信機やサーバ等へこの測定データを送信する健康管理支援装置を提供することを目的とする。【解決手段】心電計５からの心電データを判定する健康管理データ判定機４を携帯型通信機である携帯電話１に接続して使用することにより、少なくとも健康管理データ判定機４の健康管理データ判定手段４−１で心電データを異常と判定した場合は特定通信機接続手段４−２にあらかじめ設定された特定の通信機２に接続してこの状況を自動的に他に送信する。【選択図】  図１
2004148056.tif 000002
【特許請求の範囲】
【請求項１】
携帯型通信機と、前記携帯型通信機とは別の特定の通信機と、前記携帯型通信機に接続して前記特定の通信機に通信ネットワーク手段を介して心電データを送信する別設の健康管理データ判定機と、前記健康管理データ判定機に接続された心電計から構成され、前記健康管理データ判定機は、前記心電計から入力される心電データを基に異常の判定を行う健康管理データ判定手段と、前記心電計から入力される心電データを前記健康管理データ判定手段が異常と判定したときに異常判定時点の前後の心電データを常に一定時間分記録するデータメモリ手段と、前記健康管理データ判定手段が異常と判定したときに前記携帯型通信機を前記特定の通信機に接続する特定通信機接続手段と、前記特定の通信機に接続時に前記データメモリ手段に記憶した心電データを携帯型通信機に送信するデータ送信手段とからなり、前記データ送信手段からのデータを携帯型通信機を介して特定の通信機に送信する構成とした健康管理支援装置。
【請求項２】
携帯型通信機は、携帯電話である請求項１記載の健康管理支援装置。
【請求項３】
健康管理データ判定手段は、その判定値を健康管理データ判定機で設定可能な構成とした請求項１または２に記載の健康管理支援装置。
【請求項４】
健康管理データ判定手段は、その判定値を携帯型通信機で設定可能な構成とした請求項１または２に記載の健康管理支援装置。
【請求項５】
特定通信機接続手段は、その接続先の設定値を健康管理データ判定機で設定可能な構成とした請求項１〜４のいずれか１項に記載の健康管理支援装置。
【請求項６】
特定通信機接続手段は、その接続先の設定値を携帯型通信機で設定可能な構成とした請求項１〜４のいずれか１項に記載の健康管理支援装置。
【請求項７】
携帯型通信機と、サーバと、前記携帯型通信機に接続して前記サーバに通信ネットワーク手段を介して心電データの判定結果を送信する別設の健康管理データ判定機と前記健康管理データ判定機に接続された心電計とから構成され、前記健康管理データ判定機は、前記心電計から入力される心電データを基に異常の判定を行う健康管理データ判定手段と、前記心電計から入力される心電データを前記健康管理データ判定手段が異常と判定したときに異常判定時点の前後の心電データを常に一定時間分記録するデータメモリ手段と、前記健康管理データ判定手段が異常と判定したときに前記携帯型通信機を前記サーバに接続するサーバ接続手段と、前記サーバに接続時に前記データメモリ手段に記憶したデータを携帯型通信機に送信するデータ送信手段とからなり、前記データ送信手段からのデータを携帯型通信機を介して前記サーバに送信する構成とした健康管理支援装置。
【請求項８】
携帯型通信機は、携帯電話である請求項７記載の健康管理支援装置。
【請求項９】
健康管理データ判定手段は、その判定値を健康管理データ判定機で設定可能な構成とした請求項７または８に記載の健康管理支援装置。
【請求項１０】
健康管理データ判定手段は、その判定値を携帯型通信機で設定可能な構成とした請求項７または８に記載の健康管理支援装置。
【請求項１１】
健康管理データ判定手段は、その判定値をサーバ接続時にサーバからのデータで設定可能な構成とした請求項７または８に記載の健康管理支援装置。
【請求項１２】
サーバ接続手段は、その接続先の設定値をデータ判定機で設定可能な構成とした請求項７〜１１のいずれか１項に記載の健康管理支援装置。
【請求項１３】
サーバ接続手段は、その接続先の設定値を携帯型通信機で設定可能な構成とした請求項７〜１１のいずれか１項に記載の健康管理支援装置。
【請求項１４】
通信ネットワーク手段は、インターネットで構成した請求項１〜１３のいずれか１項に記載の健康管理支援装置。
【請求項１５】
健康管理データ判定機と前記健康管理データ判定機に接続された心電計は、その構成を一体とした請求項１〜１４のいずれか１項に記載の健康管理支援装置。
【発明の詳細な説明】
【０００１】
【発明の属する技術分野】
本発明は、健康管理データを健康管理データ判定機から特定の通信機やサーバに送信することにより、健康管理を支援する健康管理支援装置に関するものである。
【０００２】
【従来の技術】
従来のこの種の健康管理支援装置としては、歩数計機能を有する携帯電話機がある（例えば、特許文献１参照）。
【０００３】
【特許文献１】
特開２００１−２０３７８３号公報（第３−４頁、第６図、第７図）
【０００４】
【発明が解決しようとする課題】
しかしながら、前記従来の構成では、携帯電話機に組み込まれた歩数計部で測定されたデータは基地局等を介して管理センタ内の電話端末やコンピュータと送信することができるが、定期的に送信を行う他は測定データの送信には使用者が意識して行う必要があった。つまり使用者の体調が変化し歩行が困難になった様な緊急の場合等の状況においても使用者は自らの意志で携帯電話をかける等をしてこの状況を他へ通報しなければならないという課題があった。
【０００５】
更に、歩数計機能等を携帯電話に内蔵する必要がある等、このような専用のデータ送信機（携帯電話機）を準備しなければならず機器が高価になるなどの課題があった。
【０００６】
本発明は、前記従来の課題を解決するもので、携帯電話等の通常の携帯型通信機を用いて、きわめて簡単な操作で心電計で測定した心電データを判定することによって異常時には自動的に特定の通信機やサーバ等へこの測定データを送信する健康管理支援装置を提供することを目的とする。
【０００７】
【課題を解決するための手段】
前記従来の課題を解決するために、本発明の健康管理支援装置は、心電計からのデータを判定する健康管理データ判定機を携帯型通信機に接続して使用することにより健康管理データ判定機の健康管理データ判定手段でデータを異常と判定した場合は特定通信機接続手段やサーバ接続手段にあらかじめ設定された特定の通信機や所定の外部機関のサーバに接続して、異常と判定した前後の心電データを自動的に送信する。
【０００８】
これによって急に健康状態に異常をきたした場合も自動的に他にこの状況を報知することができ、この様な状況にも適切な対応を取ることが実現できる。
【０００９】
【発明の実施の形態】
請求項１に記載の発明は、携帯型通信機と、前記携帯型通信機とは別の特定の通信機と、前記携帯型通信機に接続して前記特定の通信機に通信ネットワーク手段を介して心電データを送信する別設の健康管理データ判定機と、前記健康管理判定機に接続された心電計から構成され、前記健康管理データ判定機は、前記心電計から入力される心電データを前記健康管理データ判定手段が異常と判定したときに異常判定時点の前後の心電データを常に一定時間分記録するデータメモリ手段と、前記心電計から入力される心電データを基に異常の判定を行う健康管理データ判定手段と、前記健康管理データ判定手段の結果に基づいて前記携帯型通信機を前記特定の通信機に接続する特定通信機接続手段で構成されており、前記健康管理データ判定手段が異常と判定したときは前記データメモリ手段に記憶した心電データを前記特定の通信機に送信する。
【００１０】
従って、健康管理データ判定手段で異常と判定されれば自動的に特定の通信機に接続し、この状況を報知することができる。すなわち、健康管理データ判定機と心電計と携帯型通信機を常に身につけて行動していれば、その使用者の健康状態が異常となり意識がなくなっても自動的にこの状況をあらかじめ設定した家族や所定の医療機関等の特定の通信機器へ報知でき、その後の迅速な処置も可能となる。
【００１１】
請求項２に記載の発明は、特に請求項１に記載の携帯型通信機を携帯電話とすることにより、一般の利用者が持ち歩いて利用することに慣れた機器を使用することで、機器操作への心理的ストレスを軽減できる。
【００１２】
請求項３に記載の発明は、特に請求項１または２に記載の健康管理データ判定手段の判定値を健康管理データ判定機で設定可能な構成とすることにより判定値の設定及び変更が可能となり使い勝手の向上が図れる。
【００１３】
請求項４に記載の発明は、特に請求項１または２に記載の健康管理データ判定手段の判定値を携帯型通信機で設定可能な構成とすることにより判定値の設定や変更が可能となり使い勝手の向上が図れる。また、携帯型通信機の既存のキー等の操作部が使用できる。
【００１４】
請求項５に記載の発明は、特に請求項１〜４のいずれか１項に記載の特定通信機接続手段の接続先の設定値を健康管理データ判定機で設定可能とすることにより特定の通信先を自ら選択することや変更することができる。
【００１５】
請求項６に記載の発明は、特に請求項１または２に記載の特定通信機接続手段の接続先の設定値を携帯型通信機で設定可能な構成とすることにより特定の通信先を自ら選択することや変更することができる。また、携帯型通信機の既存のキー等の操作部が使用できる。
【００１６】
請求項７に記載の発明は、携帯型通信機と、サーバと、前記携帯型通信機に接続して前記サーバに通信ネットワーク手段を介して心電データを送信する別設の健康管理データ判定機と、前記健康管理判定機に接続された心電計から構成され、前記健康管理データ判定機は、前記心電計から入力される心電データを前記健康管理データ判定手段が異常と判定したときに異常判定時点の前後の心電データを常に一定時間分記録するデータメモリ手段と、前記心電計から入力される心電データを基に異常の判定を行う健康管理データ判定手段と、前記健康管理データ判定手段の結果に基づいて前記携帯型通信機を前記サーバに接続する特定通信機接続手段で構成されており、前記健康管理データ判定手段が異常と判定したときは前記データメモリ手段に記憶した心電データを前記特定の通信機に送信する。
【００１７】
従って、健康管理データ判定手段で異常と判定されれば自動的に特定のサーバに接続し、この状況を報知することができる。すなわち、健康管理データ判定機と心電計と携帯型通信機を常に身につけて行動していれば、その使用者の健康状態が異常となり意識がなくなっても自動的にこの状況をあらかじめ設定した家族や所定の医療機関等の特定の通信機器へ報知でき、その後の迅速な処置も可能となる。
【００１８】
請求項８に記載の発明は、特に請求項７に記載の携帯型通信機を携帯電話とすることにより、一般の利用者が持ち歩いて利用することに慣れた機器を使用することで、機器操作への心理的ストレスを軽減できる。
【００１９】
請求項９に記載の発明は、特に請求項７または８に記載の健康管理データ判定手段の判定値を健康管理データ判定機で変更可能な構成とすることにより判定値の設定及び変更が可能となり使い勝手の向上が図れる。
【００２０】
請求項１０に記載の発明は、特に請求項７または８に記載の健康管理データ判定手段の判定値を携帯型通信機で変更可能な構成とすることにより判定値の設定や変更が可能となり使い勝手の向上が図れる。また、携帯型通信機の既存のキー等の操作部が使用できる。
【００２１】
請求項１１に記載の発明は、特に請求項７または８に記載の健康管理データ判定手段の判定値をサーバ接続時にサーバからのデータで変更可能な構成とすることにより判定値の設定や変更が可能となり使い勝手の向上が図れる。また、サーバが医療機関等の専門家によって管理されることが可能となり適切な判定値が設定できると共に、使用者が勝手に判定値を変更することがなく常に適切な判定が実現できる。
【００２２】
請求項１２に記載の発明は、特に請求項７〜１１のいずれか１項に記載のサーバ接続手段の接続先の設定値を健康管理データ判定機で変更可能な構成とすることにより所定の接続先を自ら選択することや変更することができる。
【００２３】
請求項１３に記載の発明は、特に請求項７〜１１のいずれか１項に記載のサーバ接続手段の接続先の設定値を携帯型通信機で変更可能な構成とすることにより特定の通信先を自ら選択することや変更することができる。また、携帯型通信機の既存のキー等の操作部が使用できる。
【００２４】
請求項１４に記載の発明は、通信ネットワーク手段を既存であるインターネットで構成することによって世界中どこの場所においても安価に高速にデータを送受信することを可能となる。
【００２５】
請求項１５に記載の発明は、健康管理データ判定機と前記健康管理判定機に接続された心電計の構成を一体とすることにより小型化も可能となり持ち運びや操作が簡単となる。つまり可搬性に優れる。この種の装置は常に身につけて行動することが必要であるのでこのことは非常に重要である。
【００２６】
【実施例】
以下、本発明の実施例について図面を参照しながら説明する。
【００２７】
（実施例１）
図１は本発明の実施例の構成を示す図である。
【００２８】
携帯型通信機としての携帯電話１と、特定の通信機２と、携帯電話１と特定の通信機２とを接続してデータ送受信をおこなうための通信ネットワーク手段３と、健康管理データ判定機４と、心電計５とから構成される。健康管理データ判定機４と携帯電話１及び健康管理データ判定機４と心電計５とは、それらを互いに電気的、機械的にケーブル６、７で接続されている。健康管理データ判定機４内には、心電計５で測定しケーブル７を介して入力された心電データを基に異常の判定を行う健康管理データ判定手段４−１と、この健康管理データ判定手段４−１の結果に基づいて前記携帯電話１を特定の通信機２に接続する特定通信機接続手段４−２と、特定の通信機２に接続完了後に健康管理データ判定手段４−１の結果を送信するデータ送信手段４−３を設けている。健康管理データ判定手段４−１は心電計５から入力される心電データに基づき、設定された判定値によって正常・異常を判定し異常判定時には特定通信機接続手段４−２に対して接続の指示を出す。そして特定通信機接続手段４−２はこの指示に従いケーブル６で接続された携帯電話１を介してあらかじめ設定してある特定の通信機に接続し、データメモリ手段４−４に記憶した異常判定時点の前後の心電データをデータ送信手段４−３より特定の通信機２へ送信する。このことによって異常を報知する。
【００２９】
次により具体的な説明を行う。心電計５は使用者に装着されており（図示せず）常に心電データを健康管理データ判定手段４−１へ入力している。あらかじめ健康管理データ判定手段４−１の判定値として心電データとして測定した脈拍の間隔が例えば不整脈等で一定時間（例えば３秒）以上となった場合には異常と判定して特定通信機接続手段４−２に指示し、特定の通信機２と接続し、データ通信手段４−３を介してデータメモリ手段４−４に記憶した異常判定時点の前後の心電データを送信するとともに使用者の身体に異常が発生していることを報知する。またさらにその心電を波形的にとらえればさらに種種の判定が可能となる。さらに本実施例では健康管理データ判定手段４−１の判定値を正常と異常の２値で示したが、さらに「やや異常など」を追加して細分化することもでき、細かいデータ収集が可能となる。
【００３０】
また、健康管理データ判定手段４−１の判定値は健康管理データ判定機４に内蔵されたキー（図示せず）で設定を可能としている。従って例えば異常の検出感度をその時々の健康状態によって可変する事ができる。
【００３１】
また、この判定値の設定を携帯電話１のキー操作（図示せず）で行うこともできる。このことは健康管理データ判定機４に判定値の設定用のキー（図示せず）を内蔵することなく判定値の設定が可能となり、本装置の操作の簡単化や低価格での提供が可能となる。
【００３２】
また、特定通信機接続手段４−２の接続先の設定値は健康管理データ判定機４に内蔵されたキー（図示せず）で設定を可能としている。従って例えばその接続先を使用者の家族や医療機関等に使用者の選択で接続でき、その時々の健康状態によって接続先を変更する事ができる。
【００３３】
また、この設定値の設定を携帯電話１のキー操作（図示せず）で行うこともできる。このことは健康管理データ判定機４に接続先の設定値の設定用のキー（図示せず）を内蔵することなく設定値の設定が可能となり、本装置の操作の簡単化や低価格での提供が可能となる。
【００３４】
（実施例２）
図２は本発明の第２の実施例の構成を示す図である。
【００３５】
実施例１と異なるのは特定の通信機をサーバとした点である。この構成に置いて、健康管理データ判定機４と携帯電話１及び健康管理データ判定機４と心電計５とは、互いに電気的、機械的にケーブル６、７で接続されている。健康管理データ判定機４内には、心電計５で測定しケーブル７を介して入力された心電データを基に異常の判定を行う健康管理データ判定手段４−１と、この健康管理データ判定手段４−１の結果に基づいて前記携帯電話１をサーバ８に接続するサーバ接続手段４−５と、サーバ８に接続完了後に健康管理データ判定手段４−１の結果を送信するデータ送信手段４−３を設けている。健康管理データ判定手段４−１は心電計５から入力される心電データに基づき、設定された判定値によって正常・異常を判定し異常判定時には特定通信機接続手段４−２に対して接続の指示を出す。そしてサーバ接続手段４−５はこの指示に従いケーブル６で接続された携帯電話１を介してあらかじめ設定してある所定のサーバ８に接続し、データメモリ手段４−４に記憶した異常判定時点の前後の心電データをデータ送信手段４−３より特定の通信機２へ送信する。このことによって異常を報知する。
【００３６】
次により具体的な説明を行う。心電計５は使用者に装着されており（図示せず）常に心電データを健康管理データ判定手段４−１へ入力している。あらかじめ健康管理データ判定手段４−１の判定値として心電データとして測定した脈拍の間隔が例えば不整脈等で一定時間（例えば３秒）以上となった場合には異常と判定してサーバ機接続手段４−５に指示し、特定のサーバ８と接続し、データ通信手段４−３を介してデータメモリ手段４−４に記憶した異常判定時点の前後の心電データを送信するとともに使用者の身体に異常が発生していることを報知する。またさらにその心電を波形的にとらえればさらに種種の判定が可能となる。さらに本実施例では健康管理データ判定手段４−１の判定値を正常と異常の２値で示したが、さらに「やや異常など」を追加して細分化することもでき、細かいデータ収集が可能となる。
【００３７】
また、健康管理データ判定手段４−１の判定値は健康管理データ判定機４に内蔵されたキー（図示せず）で設定を可能としている。従って例えば異常の検出感度をその時々の健康状態によって可変する事ができる。
【００３８】
また、この判定値の設定を携帯電話１のキー操作（図示せず）で行うこともできる。このことは健康管理データ判定機４に判定値の設定用のキー（図示せず）を内蔵することなく判定値の設定が可能となり、本装置の操作の簡単化や低価格での提供が可能となる。
【００３９】
さらに健康管理データ判定手段４−１の判定値はサーバ８からのデータで設定可能とすることにより専門家のみが判定値を設定することとなり、より信頼性の高い判定が可能となる。
【００４０】
また、サーバ接続手段４−５の接続先の設定値は健康管理データ判定機４に内蔵されたキー（図示せず）で設定を可能としている。従って例えばその接続先を使用者の家族や医療機関等に使用者の選択で接続でき、その時々の健康状態によって接続先を変更する事ができる。
【００４１】
また、この設定値の設定を携帯電話１のキー操作（図示せず）で行うこともできる。このことは健康管理データ判定機４に接続先の設定値の設定用のキー（図示せず）を内蔵することなく設定値の設定が可能となり、本装置の操作の簡単化や低価格での提供が可能となる。
【００４２】
（実施例３）
図３は、本発明の第３の実施例を示す図である。実施例１、２と異なるのは、健康管理データ判定機と心電計を一体化した点である。図１及び２のケーブル７は健康管理データ判定機と心電計を構成するプリント配線板（図示せず）内での接続９で対応することが可能となる。このことにより小型・軽量・低コスト化が可能となるとともに可搬性に非常に優れたものとなる。
【００４３】
また、通信ネットワーク手段３はインターネットで構成している。従って、世界中どこの場所においても安価に高速にデータを送受信することが可能となり、非常に便利である。
【００４４】
本発明の実施例では、携帯電話１を携帯型通信機器として使用することから接続先の特定の通信機２や所定のサーバ８からの使用者への問い合わせも容易であり、異常報知時の確認も容易にできる。
【００４５】
【発明の効果】
以上のように、請求項１〜１５に記載の発明によれば、心電計からの心電データを判定する健康管理データ判定機を携帯型通信機に接続して使用することにより健康管理データ判定機が少なくとも心電データを異常と判定した場合は特定通信機接続手段やサーバ接続手段にあらかじめ設定された特定の通信機や所定の外部機関のサーバに接続してこの状況を自動的に他に送信することができる。
【図面の簡単な説明】
【図１】本発明の第１の実施例における健康管理支援装置の構成図
【図２】本発明の第２の実施例における健康管理支援装置の構成図
【図３】本発明の第３の実施例における健康管理支援装置の構成図
【符号の説明】
１  携帯電話（携帯型通信機）
２  特定の通信機
３  通信ネットワーク手段
４  健康管理データ判定機
４−１  健康管理データ判定手段
４−２  特定通信機接続手段
４−３  データ送信手段
４−４  データメモリ手段
４−５  サーバ接続手段
５  心電計
８  サーバ
【図１】
2004148056.tif 000003
【図２】
2004148056.tif 000004
【図３】
2004148056.tif 000005